(57)【要約】【課題】化粧材の端面が露出するのを防止する。【解決手段】長尺の化粧材２０の長手方向の端部に化粧材端面遮蔽材１０を設ける。化粧材端面遮蔽材１０は、化粧材２０の裏面に対応するように位置付けられる裏面対応部１１と、裏面対応部１１に一体に形成され化粧材２０の端面を遮蔽する端面遮蔽部１２と、を備える。【選択図】図３
2004019247.tif 000002
【特許請求の範囲】
【請求項１】
長尺の化粧材の長手方向の端部に設けられる化粧材端面遮蔽材であって、
化粧材の裏面に対応するように位置付けられる裏面対応部と、該裏面対応部に一体に形成され化粧材の端面を遮蔽する端面遮蔽部と、を備えたことを特徴とする化粧材端面遮蔽材。
【請求項２】
請求項１に記載された化粧材端面遮蔽材において、
上記端面遮蔽部は、その内側に化粧材の端面に密接する弾性材が設けられていることを特徴とする化粧材端面遮蔽材。
【請求項３】
請求項１に記載された化粧材端面遮蔽材において、
金属板を略Ｌ字状に形成することにより上記裏面対応部及び端面遮蔽部が構成されていることを特徴とする化粧材端面遮蔽材。
【請求項４】
請求項３に記載された化粧材端面遮蔽材において、
上記端面遮蔽部は、その端辺部が内側に折り返された折り返し部を有することを特徴とする化粧材端面遮蔽材。
【請求項５】
請求項４に記載された化粧材端面遮蔽材において、
上記折り返し部は、化粧材の端面に当接してその端面を弾性的に押圧するように構成されていることを特徴とする化粧材端面遮蔽材。
【請求項６】
下地面に長尺の化粧材を取り付けた化粧材取付構造であって、
上記化粧材の長手方向の少なくとも一方の端部に、該化粧材の裏面に対応するように位置付けられた裏面対応部と、該裏面対応部に一体に形成され該化粧材の端面を遮蔽する端面遮蔽部と、を備えた化粧材端面遮蔽材が設けられていることを特徴とする化粧材取付構造。
【請求項７】
請求項６に記載された化粧材取付構造であって、
上記化粧材の表面と、上記化粧材端面遮蔽材の端面遮蔽部の外側表面と、が同一色であることを特徴とする化粧材取付構造。
【請求項８】
請求項６に記載された化粧材取付構造であって、
上記化粧材は、少なくとも上記化粧材端面遮蔽材が設けられた側の端面に露出した中抜き又は裏抜きが形成されており、
上記化粧材端面遮蔽材は、上記端面遮蔽部の内側に上記化粧材の端面に密接して上記中抜き又は裏抜きを閉塞する弾性材が設けられていることを特徴とする化粧材取付構造。
【発明の詳細な説明】
【０００１】
【発明の属する技術分野】
本発明は、長尺の化粧材の長手方向の端部に設けられる化粧材端面遮蔽材及びそれを用いた化粧材取付構造に関する。
【０００２】
【従来の技術】
建築物の外観意匠性を高める目的でその表面に化粧材が設けられる。
【０００３】
【発明が解決しようとする課題】
ところで、かかる化粧材は、その端面が露出した状態で建築物の表面に設けられる場合がある。しかしながら、化粧材の端面からはその内部構造があからさまとなることから、そのような場合、化粧材による折角の意匠性が損なわれることとなる。
【０００４】
本発明は、かかる点に鑑みてなされたものであり、その目的とするところは、化粧材の端面が露出するのを防止する化粧材端面遮蔽部材及びそれを用いた化粧材取付構造を提供することにある。
【０００５】
【課題を解決するための手段】
上記目的を達成する本発明の化粧材端面遮蔽部材は、長尺の化粧材の長手方向の端部に設けられるものであって、
化粧材の裏面に対応するように位置付けられる裏面対応部と、該裏面対応部に一体に形成され化粧材の端面を遮蔽する端面遮蔽部と、を備えたことを特徴とする。
【０００６】
上記の構成によれば、裏面対応部を化粧材の裏面又は下地面に固定することにより端面遮蔽部で化粧材の端面が遮蔽されることとなるので、それによって化粧材の端面が露出するのを防止することができる。
【０００７】
本発明の化粧材端面遮蔽材は、上記端面遮蔽部の内側に化粧材の端面に密接する弾性材が設けられているものであってもよい。
【０００８】
セメント等の水硬化性材料を押出成形した化粧材では、端面が空気に触れた状態であるとそこから水分が吸収されて端部での水分含有量が高くなり、寒冷地等でその水分が凍結するとその体積膨張のために化粧材が破損するということがある。しかしながら、上記の構成によれば、弾性材が化粧材の端面に密接して塞ぎ、シール性が高められてそこからの水分の吸収が抑止されるので、かかる水分の凍結による化粧材の破損を回避することができる。ここで、弾性材とは、例えば、スポンジやシーリング材等である。
【０００９】
本発明の化粧材端面遮蔽材は、金属板を略Ｌ字状に形成することにより上記裏面対応部及び端面遮蔽部が構成されているものであってもよい。
【００１０】
本発明の化粧材端面遮蔽材を樹脂材料を射出成形して製造することもできるが、その場合、多種多様な化粧材のそれぞれに合わせた成形型が必要となってコスト高となる。しかしながら、上記の構成によれば、基本的な加工が化粧材の寸法に合わせた金属板の折り曲げ加工であるので、化粧材端面遮蔽材を安価に製造することができる。
【００１１】
本発明の化粧材端面遮蔽材は、上記端面遮蔽部の端辺部が内側に折り返された折り返し部を有するものであってもよい。
【００１２】
金属の切り放し端は錆びやすい性質を有するが、上記の構成によれば、端面遮蔽部の端辺部が内側に折り返された折り返し部を有しているので、化粧材端面遮蔽材の端辺部への錆の発生を抑止することができると共にその補強を図ることができる。
【００１３】
本発明の化粧材端面遮蔽材は、上記折り返し部が化粧材の端面に当接してその端面を弾性的に押圧するように構成されているものであってもよい。
【００１４】
上記の構成によれば、端面遮蔽部の化粧材への密着性が高いものとなり、また、下地面に予め化粧材端面遮蔽材を固定した後に化粧材を取り付けるような場合に、化粧材の長さに多少の誤差があったとしても、化粧材の端面に当接して弾性的に押圧する折り返し部によってかかる誤差を吸収することができる。
【００１５】
本発明の化粧材取付構造は、下地面に長尺の化粧材を取り付けたものであって、
上記化粧材の長手方向の少なくとも一方の端部に、該化粧材の裏面に対応するように位置付けられた裏面対応部と、該裏面対応部に一体に形成され該化粧材の端面を遮蔽する端面遮蔽部と、を備えた化粧材端面遮蔽材が設けられていることを特徴とする。
【００１６】
上記の構成によれば、裏面対応部が化粧材の裏面又は下地面に固定されて端面遮蔽部によって化粧材の端面が遮蔽されることとなるので、それによって化粧材の端面が露出するのを防止することができる。
【００１７】
本発明の化粧材取付構造は、上記化粧材の表面と、上記化粧材端面遮蔽材の端面遮蔽部の外側表面と、が同一色であるものであってもよい。
【００１８】
上記の構成によれば、化粧材と化粧材端面遮蔽部材との識別が困難となるので、化粧材端面遮蔽部材が設けられることによる意匠性の低下を抑えることができる。
【００１９】
本発明の化粧材取付構造は、上記化粧材の少なくとも上記化粧材端面遮蔽材を設けた側の端面に露出した中抜き又は裏抜きが形成されており、
上記化粧材端面遮蔽材の上記端面遮蔽部に上記化粧材の端面に密接して上記中抜き又は裏抜きを閉塞する弾性材が設けられているものであってもよい。
【００２０】
上記の構成によれば、化粧材の端面に露出した中抜き又は裏抜きが弾性材で閉塞されるので、化粧材取付構造内部への水分の進入を抑止することができる。ここで、弾性材とは、例えば、スポンジやシーリング材等である。
【００２１】
【発明の効果】
以上説明したように本発明によれば、化粧材端面遮蔽材の裏面対応部を化粧材の裏面又は下地面に固定することにより端面遮蔽部で化粧材の端面が遮蔽されることとなるので、それによって化粧材の端面が露出するのを防止することができる。
【００２２】
【発明の実施の形態】
以下、本発明の実施形態を図面に基づいて詳細に説明する。
【００２３】
（実施形態１）
図１は、本発明の実施形態１に係る化粧材端面遮蔽材１０を示す。
【００２４】
この化粧材端面遮蔽材１０は、長方形の金属板を断面略Ｌ字状となるようにその長手方向の中間部で折り曲げて形成されたものであり、その断面Ｌ字状のうち相対的に面積の大きい方の板状体が裏面対応部１１、及び、相対的に面積の小さい方の板状体が端面遮蔽部１２をそれぞれ構成している。つまり、この化粧材端面遮蔽材は、長方形板状の裏面対応部１１と、その裏面対応部１１の一方の長辺に連続し一体に形成された長方形板状の端面遮蔽部１２と、からなる。
【００２５】
この化粧材端面遮蔽材１０を用いた化粧材取付構造は、セメント等の水硬化性材料を押出成形して製造された長尺の化粧材２０を下地面３０に取り付けたものであって、化粧材２０の長手方向の少なくとも一方の端部に化粧材端面遮蔽材１０が設けられており、裏面対応部１１が化粧材２０の裏面に対応するように位置付けられ、そして、端面遮蔽部１２が化粧材２０の端面を遮蔽している。化粧材２０の表面と化粧材端面遮蔽材１０の端面遮蔽部１２の外側表面とは同一色である。この化粧材取付構造は、図２に示すように、横方向に延びる化粧材２０の端部に予め化粧材端面遮蔽材１０を固定した後にそれを下地面３０に取り付けて形成しても、また、図３に示すように、下地面３０に化粧材端面遮蔽材１０を固定した後に化粧材２０を横方向に延びるように下地面３０に取り付けて形成してもどちらでもよい。なお、後者のようにすれば、予め下地面３０に固定された化粧材端面遮蔽材１０によって化粧材２０の位置規制を行うことができる。また、化粧材２０の下地面３０への取付は釘や化粧材取付金具等によって行われる。
【００２６】
このような化粧材取付構造は、より具体的には、図４に示すように、サッシ枠３１の枠外に設けられる化粧材２０の端部や、図５に示すように、縦方向に延びるように設けられる化粧材２０の端部や、図６に示すように、屋根３２の下に設けられた化粧材２０たる破風板の端部に構成される。なお、図５に示した例において、端面遮蔽部１２が略水平となるように化粧材端面遮蔽材１０を下地面３０に固定し、そこに縦方向に延びるように化粧材２０を取り付けるようにした場合、化粧材端面遮蔽材１０によって化粧材２０の位置規制を行うことができると共に化粧材２０の支持をも行うことができる。
【００２７】
上記構成の化粧材端面遮蔽材１０及び化粧材取付構造によれば、裏面対応部１１を化粧材２０の裏面又は下地面３０に固定することにより端面遮蔽部１２で化粧材２０の端面が遮蔽されることとなるので、それによって化粧材２０の端面の露出を防止することができる。
【００２８】
また、樹脂材料を射出成形して化粧材端面遮蔽材１０を製造することもできるが、その場合、多種多様な化粧材２０のそれぞれに合わせた成形型が必要となってコスト高となるところ、金属板を略Ｌ字状に折り曲げて形成することにより裏面対応部１１及び端面遮蔽部１２が構成されており、基本的な加工が化粧材２０の寸法に合わせた金属板の折り曲げ加工であるので、化粧材端面遮蔽材１０を安価に製造することができる。
【００２９】
また、化粧材２０の表面と化粧材端面遮蔽材１０の端面遮蔽部１２の外側表面とを同一色であり、化粧材２０と化粧材端面遮蔽部１２材との識別が困難となるので、化粧材端面遮蔽部１２材が設けられることによる意匠性の低下を抑えることができる。
【００３０】
なお、化粧材端面遮蔽材１０は、図７に示すように、端面遮蔽部１２の内側に直方体状のスポンジからなる弾性材１３が貼付されて設けられたものであってもよい。この弾性材１３は、化粧材端面遮蔽材１０を化粧材２０の端部に設けた際に化粧材２０の端面に密接する。
【００３１】
セメント等の水硬化性材料を押出成形した化粧材２０では、端面が空気に触れた状態であるとそこから水分が吸収されて端部での水分含有量が高くなり、寒冷地等でその水分が凍結するとその体積膨張のために化粧材２０が破損するということがある。しかしながら、このような化粧材端面遮蔽材１０を用いれば、弾性材１３が化粧材２０の端面に密接して塞ぎ、シール性が高められてそこからの水分の吸収が抑止されるので、かかる水分の凍結による化粧材２０の破損を回避することができる。
【００３２】
また、化粧材端面遮蔽材１０は、図８に示すように、端面遮蔽部１２の端辺部が鋭角をなすように内側に折り返された折り返し部１２ａを有するものであってもよい。
【００３３】
金属の切り放し端は錆びやすい性質を有するが、このような化粧材端面遮蔽材１０を用いれば、端面遮蔽部１２の端辺部が内側に折り返された折り返し部１２ａを有しているので、化粧材端面遮蔽材１０の端辺部への錆の発生を抑止することができると共にその補強を図ることができる。もちろん、図９に示すように、端面遮蔽部１２の内側に弾性材１３が設けられていると共に端辺部が内側に折り返された折り返し部１２ａを有するものであってもよい。
【００３４】
また、化粧材端面遮蔽材１０は、図１０に示すように、端面遮蔽部１２の端辺部が内側に巻き入れるように折り返された折り返し部１２ａを有するものであってもよい。この折り返し部１２ａは、化粧材端面遮蔽材１０を化粧材２０の端部に設けた際に化粧材２０の端面に当接してその端面を弾性的に押圧する。
【００３５】
このような化粧材端面遮蔽材１０を用いれば、端面遮蔽部１２の化粧材２０への密着性が高いものとなり、また、下地面３０に予め化粧材端面遮蔽材１０を固定した後に化粧材２０を取り付けるような場合に、化粧材２０の長さに多少の誤差があったとしても、化粧材２０の端面に当接して弾性的に押圧する折り返し部１２ａによってかかる誤差を吸収することができる。
【００３６】
（実施形態２）
図１１〜１３は、本発明の実施形態２に係る化粧材端面遮蔽材１０及びそれを用いた化粧材取付構造を示す。
【００３７】
この化粧材端面遮蔽材１０は、端面遮蔽部１２が化粧材２０の横断面形状と同一形状に形成されており、図９に示す例と同様に、端面遮蔽部１２の内側にスポンジ等の弾性材１３が設けられていると共に端辺部が内側に折り返された折り返し部１２ａを有している。
【００３８】
化粧材２０は、裏面側には一対の裏抜きの溝２１が長手方向に延びるように並行して形成されており、下地面３０に固定された化粧材取付具がその溝２１に係合するようになっている。その溝２１は化粧材２０の端面に露出している。
【００３９】
化粧材取付構造は、化粧材２０が化粧材取付具を介して下地面３０に取り付けられたものであって、化粧材２０の長手方向の少なくとも一方の端部に化粧材端面遮蔽材１０が設けられており、裏面対応部１１が化粧材２０の裏面に対応するように位置付けられ、そして、端面遮蔽部１２が化粧材２０の端面を遮蔽すると共にその内側に設けられた弾性材１３が化粧材２０の端面に密接して裏抜きを閉塞している。この化粧材取付構造は、図１１に示すように、横方向に延びる化粧材２０の端部に予め化粧材端面遮蔽材１０を固定した後にそれを下地面３０に取り付けて形成しても、また、図１２に示すように、下地面３０に化粧材端面遮蔽材１０を固定した後に化粧材２０を横方向に延びるように下地面３０に取り付けて形成してもどちらでもよい。
【００４０】
上記構成の化粧材取付構造によれば、化粧材２０の端面に露出した中抜き又は裏抜きが弾性材１３で閉塞されるので、化粧材取付構造内部への水分の進入を抑止することができる。
【００４１】
その他の作用・効果は実施形態１と同一である。
【図面の簡単な説明】
【図１】本発明の実施形態１に係る化粧材端面遮蔽材の斜視図である。
【図２】本発明の実施形態１に係る化粧材取付構造の形成方法を示す説明図である。
【図３】本発明の実施形態１に係る化粧材取付構造の他の形成方法を示す説明図である。
【図４】本発明の実施形態１に係る化粧材取付構造の一例の斜視図である。
【図５】本発明の実施形態１に係る化粧材取付構造の他の一例の斜視図である。
【図６】本発明の実施形態１に係る化粧材取付構造の他の別の一例の斜視図である。
【図７】本発明の実施形態１に係る化粧材端面遮蔽材の変形例１の斜視図である。
【図８】本発明の実施形態１に係る化粧材端面遮蔽材の変形例２の斜視図である。
【図９】本発明の実施形態１に係る化粧材端面遮蔽材の変形例３の斜視図である。
【図１０】本発明の実施形態１に係る化粧材端面遮蔽材の変形例４の斜視図である。
【図１１】本発明の実施形態２に係る化粧材取付構造の形成方法を示す説明図である。
【図１２】本発明の実施形態２に係る化粧材取付構造の別の形成方法を示す説明図である。
【図１３】本発明の実施形態２に係る化粧材取付構造の側面図である。
【符号の説明】
１０　化粧材端面遮蔽材
１１　裏面対応部
１２　端面遮蔽部
１２ａ　折り返し部
１３　弾性材
２０　化粧材
２１　溝
３０　下地面
３１　サッシ枠
３２　屋根
【図１】
2004019247.tif 000003
【図２】
2004019247.tif 000004
【図３】
2004019247.tif 000005
【図４】
2004019247.tif 000006
【図５】
2004019247.tif 000007
【図６】
2004019247.tif 000008
【図７】
2004019247.tif 000009
【図８】
2004019247.tif 000010
【図９】
2004019247.tif 000011
【図１０】
2004019247.tif 000012
【図１１】
2004019247.tif 000013
【図１２】
2004019247.tif 000014
【図１３】
2004019247.tif 000015